(57)【要約】【課題】横編機により、指付き靴下の足底部にパイルと同等の機能（特にクッション性）を有する部分を容易に形成できるようにする。【解決手段】親指袋の足底側部分から土踏まず部近傍に至る部分の少なくとも一部を含む足底部に、擬似パイル部を設ける。この擬似パイル部は、横編機における一対のニードルベッドのうちの一方に並設された複数の編針の並設方向において所定数の編針毎にニットとミスとを交互に繰り返す先行及び後行の編成コース（編成コース７及び９）を含む複数の編成コースを１組として、該１組の編成コースによる編成を、爪先側から足挿入側に、又は足挿入側から爪先側に繰り返すことによって形成する。そして、後行の編成コース（編成コース９）において、上記ニットする編針と上記ミスする編針とを、先行の編成コース（編成コース７）とは逆にする。【選択図】図２
2013057147.tif 000002
【特許請求の範囲】
【請求項１】
編針を進退摺動可能に装着したニードルベッドを少なくとも前後一対備えてなる横編機により、爪先側から足挿入側に、又は足挿入側から爪先側に向けて編糸が周回状に給糸されて筒状に編成されてなり、親指袋の足底側部分から土踏まず部近傍に至る部分の少なくとも一部を含む足底部に擬似パイル部が形成された指付き靴下であって、
上記擬似パイル部は、ニットによるループとミスによる浮き糸とを所定編目数毎に交互に形成してなる先行の編成部分と、当該先行の編成部分の編成後の編成で、当該先行の編成部分の上記ニットによるループ上にミスによる浮き糸を位置させかつ当該先行の編成部分のミスによる浮き糸部分上にニットによるループを形成してなる後行の編成部分とを有していて、ニットされたループとその上方に位置するミスによる浮き糸との組み合わせにより嵩高の編組織とされていることを特徴とする指付き靴下。
【請求項２】
上記擬似パイル部は、上記指付き靴下の足底部において上記親指袋の爪先近傍部分から土踏まず部近傍に至る部分と踵部とに設けられていることを特徴とする請求項１記載の指付き靴下。
【請求項３】
上記擬似パイル部は、上記指付き靴下の足底部において上記親指袋の爪先近傍部分から上記踵部の後端部に至る部分に設けられていることを特徴とする請求項２記載の指付き靴下。
【請求項４】
上記擬似パイル部が設けられた土踏まず部に、弾性糸の挿入による収縮部が設けられていることを特徴とする請求項３記載の指付き靴下。
【請求項５】
編針を進退摺動可能に装着したニードルベッドを少なくとも前後一対備えてなる横編機により、爪先側から足挿入側に、又は足挿入側から爪先側に向けて編糸が周回状に給糸されて筒状に編成されてなり、親指袋の足底側部分から土踏まず部近傍に至る部分の少なくとも一部を含む足底部に擬似パイル部が形成された指付き靴下の編成方法であって、
上記横編機における上記両ニードルベッドのうちの一方に並設された複数の編針の並設方向において所定数の編針毎にニットとミスとを交互に繰り返す先行及び後行の編成コースを含む複数の編成コースを１組として、該１組の編成コースによる編成を、爪先側から足挿入側に、又は足挿入側から爪先側に繰り返すことによって、上記擬似パイル部を形成し、
上記後行の編成コースにおいて、該後行の編成コースによる編成部分が上記先行の編成コースによる編成部分に対して上記指付き靴下の足底部の厚み方向に重なるように編成するとともに、上記ニットする編針と上記ミスする編針とを、上記先行の編成コースとは逆にすることを特徴とする指付き靴下の編成方法。
【発明の詳細な説明】
【技術分野】
【０００１】
本発明は、親指袋の足底側部分から土踏まず部近傍に至る部分の少なくとも一部を含む足底部に擬似パイル部が形成された指付き靴下及びその編成方法に関する技術分野に属する。
【背景技術】
【０００２】
従来より、各指袋が独立して設けられた５本指付き靴下や、足袋形の指付き靴下がよく知られている（例えば特許文献１、２参照）。このような指付き靴下は、通常、編針を進退摺動可能に装着したニードルベッドを少なくとも前後一対備えてなる横編機により、爪先側から足挿入側に、又は足挿入側から爪先側に向けて編糸が周回状に給糸されて筒状に編成されてなる。
【先行技術文献】
【特許文献】
【０００３】
【特許文献１】特開２０１０−２４２２３５号公報
【特許文献２】特開平１０−１４０４４７号公報
【発明の概要】
【発明が解決しようとする課題】
【０００４】
ところで、上記指付き靴下の足底部における踏力のかかる部分（特に、親指袋の足底側部分から土踏まず近傍に至る部分の少なくとも一部）にパイルを形成すれば、その部分のクッション性が良好になり、この結果、足の疲労が生じ難くなりかつ着用感が良くなる。しかし、上記横編機により上記指付き靴下の足底部にパイルを形成することは容易ではない。
【０００５】
本発明は、斯かる点に鑑みてなされたものであり、その目的とするところは、横編機により、指付き靴下の足底部にパイルと同等の機能（特にクッション性）を有する部分（擬似パイル部）を容易に形成できるようにすることにある。
【課題を解決するための手段】
【０００６】
上記の目的を達成するために、本発明では、編針を進退摺動可能に装着したニードルベッドを少なくとも前後一対備えてなる横編機により、爪先側から足挿入側に、又は足挿入側から爪先側に向けて編糸が周回状に給糸されて筒状に編成されてなり、親指袋の足底側部分から土踏まず部近傍に至る部分の少なくとも一部を含む足底部に擬似パイル部が形成された指付き靴下を対象として、上記擬似パイル部は、ニットによるループとミスによる浮き糸とを所定編目数毎に交互に形成してなる先行の編成部分と、当該先行の編成部分の編成後の編成で、当該先行の編成部分の上記ニットによるループ上にミスによる浮き糸を位置させかつ当該先行の編成部分のミスによる浮き糸部分上にニットによるループを形成してなる後行の編成部分とを有していて、ニットされたループとその上方に位置するミスによる浮き糸との組み合わせにより嵩高の編組織とされている、という構成とした。
【０００７】
上記の構成により、指付き靴下の足底部における踏力のかかる部分（特に、親指袋の足底側部分から土踏まず部近傍に至る部分の少なくとも一部）に擬似パイル部が設けられているので、その部分のクッション性が良好になる。すなわち、擬似パイル部においては、後行の編成部分におけるミスにより浮き糸となっている部分が、先行の編成部分におけるニットによるループ上に重なり、かつ、後行の編成部分におけるニットによるループが、先行の編成部分におけるミスによる浮き糸部分上に重なって、嵩高の編組織となっているので、擬似パイル部にパイルと同様の膨らみが生じて、擬似パイル部のクッション性がパイルと同様に良好となる。これにより、足の疲労が生じ難くなりかつ着用感が良くなる。また、擬似パイル部は、横編機において所定数の編針毎にニットとミスとを交互に繰り返す先行及び後行の編成コースにより容易に編成することができる。
【０００８】
上記指付き靴下において、上記指付き靴下の足底部において上記親指袋の爪先近傍部分から土踏まず部近傍に至る部分と踵部とに設けられている、ことが好ましい。
【０００９】
このことにより、踏力のかかる踵部のクッション性も良好になるので、足の疲労がより一層生じ難くなるとともに、着用感がより一層良好になる。
【００１０】
上記指付き靴下において、上記指付き靴下の足底部において上記親指袋の爪先近傍部分から上記踵部の後端部に至る部分に設けられている、ことが好ましい。
【００１１】
これにより、土踏まず部を含めて足底部の略全体が擬似パイル部とされ、より一層良好な着用感が得られる。
【００１２】
上記擬似パイル部が設けられた土踏まず部に、弾性糸の挿入による収縮部が設けられている、ことが好ましい。
【００１３】
このことで、土踏まず部の収縮部が足の土踏まず部分を締め込むので、着用感がより一層向上する。
【００１４】
本発明の別の態様は、編針を進退摺動可能に装着したニードルベッドを少なくとも前後一対備えてなる横編機により、爪先側から足挿入側に、又は足挿入側から爪先側に向けて編糸が周回状に給糸されて筒状に編成されてなり、親指袋の足底側部分から土踏まず部近傍に至る部分の少なくとも一部を含む足底部に擬似パイル部が形成された指付き靴下の編成方法の発明であり、この発明では、上記横編機における上記両ニードルベッドのうちの一方に並設された複数の編針の並設方向において所定数の編針毎にニットとミスとを交互に繰り返す先行及び後行の編成コースを含む複数の編成コースを１組として、該１組の編成コースによる編成を、爪先側から足挿入側に、又は足挿入側から爪先側に繰り返すことによって、上記擬似パイル部を形成し、上記後行の編成コースにおいて、該後行の編成コースによる編成部分が上記先行の編成コースによる編成部分に対して上記指付き靴下の足底部の厚み方向に重なるように編成するとともに、上記ニットする編針と上記ミスする編針とを、上記先行の編成コースとは逆にするようにする。
【００１５】
この編成方法によって、横編機により、指付き靴下の足底部にパイルと同等の機能を有する擬似パイル部を容易に形成することができる。
【発明の効果】
【００１６】
以上説明したように、本発明によると、指付き靴下の足底部における踏力のかかる部分（特に、親指袋の足底側部分から土踏まず近傍に至る部分の少なくとも一部）に擬似パイル部を設けるようにしたことにより、その部分のクッション性を良好にして、足の疲労を生じ難くしかつ着用感を良好にすることができる。また、擬似パイル部を、横編機により容易に編成することができる。
【図面の簡単な説明】
【００１７】
【図１】本発明の実施形態に係る指付き靴下の足底側を示す底面図である。
【図２】親指袋の爪先近傍部分から４本胴の後端部に至る部分の編成方法を示す図である。
【図３】５本胴における足底前側部及びその甲側の部分の編成方法を示す図である。
【図４】５本胴における土踏まず部及びその甲側の部分の編成方法を示す図である。
【発明を実施するための形態】
【００１８】
以下、本発明の実施形態を図面に基づいて詳細に説明する。
【００１９】
図１は、本発明の実施形態に係る指付き靴下１の足底側（裏側）を示す。本実施形態では、指付き靴下１は、親指袋２、人指し指袋３、中指袋４、薬指袋５及び小指袋６を有する５本指付き靴下である。
【００２０】
上記指付き靴下１は、図示省略の、前後一対のニードルベッドを有する周知の横編機により、爪先側から足挿入側に、又は足挿入側から爪先側に向けて編糸が周回状に給糸されて筒状に編成されてなるものである。一対のニードルベッドは、逆Ｖ字状（“ハ”の字状）に対向配置されている。各ニードルベッドには、複数の編針がニードルベッドの長手方向に並設されている。各ニードルベッドの各編針は、ニードルベッドの長手方向に直交する方向に摺動可能に装着されていて、各ニードルベッドの面（相対向する面とは反対側の面）をニードルベッドの長手方向（編針の並設方向）に摺動するキャリッジに内装されたカム群により、各編針のバットが操作されて、各編針が、各ニードルベッドの上記キャリッジ摺動面に沿った方向である斜め上下方向に進退摺動するようになっている。
【００２１】
上記両ニードルベッド間の空間の上側には、複数のキャリアレールがニードルベッドの長手方向に配設されており、このキャリアレールに装着されたキャリアが上記キャリッジの摺動時に連行されてニードルベッドの長手方向に往復移動可能になっている。これら複数のキャリアにより、複数の編糸をそれぞれニードルベッドの各編針に給糸可能に構成されている。
【００２２】
本実施形態では、指付き靴下１の足底部において親指袋２の爪先近傍部分から踵部１２の後端部に至る部分、つまり、指付き靴下１の足底部において、親指袋２における爪先部を除く部分、親指袋２と人指し指袋３と中指袋４とが合一された３本胴７、３本胴７と薬指袋５とが合一された４本胴８、４本胴８と小指袋６とが合一された状態で踵部１２の近傍に至る５本胴９における土踏まず部１１の前側に位置する部分（以下、足底前側部１０という）、土踏まず部１１、及び、踵部１２に、擬似パイル部２１が設けられている。この擬似パイル部２１は、踵部１２の後端部から足首部１３の後側部分における踝に対応する位置まで延設されている。
【００２３】
上記擬似パイル部２１は、上記横編機における上記両ニードルベッドのうちの一方（本実施形態では、後側のニードルベッド）に並設された複数の編針の並設方向において所定数の編針毎にニットとミスとを交互に繰り返す先行の編成コースと、先行の編成コースとは位置を異ならせて上記所定数の編針毎にニットとミスとを交互に繰り返す後行の編成コースとを含む複数の編成コースを１組として、該１組の編成コースによる編成を、爪先側から足挿入側に、又は足挿入側から爪先側に所定組数繰り返すことによって形成されたものである。上記ニットとミスとを繰り返す編針の所定数（編目数に相当する）としては、擬似パイル部２１がパイルと同等の機能（特にクッション性）を有することを可能にするような値であり、本実施形態では、クッション性及び目の粗さの観点から最も好ましい２目とする。尚、上記所定数の値は、２目に限られるものではなく、１目、つまりニットとミスとを１目毎に交互に形成する形態であってもよく、３目以上であってもよい。但し、上記所定数が１目である場合（ニットとミスとを１目毎に交互に形成する場合）には、クッション性が不十分であり、上記所定数が３目以上と大きくなり過ぎると、目が粗くなるとともに、クッション性も低下する傾向にある。
【００２４】
上記先行及び後行の編成コースによる編成部分は、ニットによるループとミスによる浮き糸とが所定編目数毎（本実施形態では、２目毎）に交互に形成されたものであって、足底部の厚み方向に互いに重なっている。そして、上記後行の編成コースによる編成部分（後行の編成部分）における上記ニットにより形成されたループが、上記先行の編成コースによる編成部分（先行の編成部分）における上記ミスにより浮き糸（渡り糸ともいう）となっている部分上に重なり、かつ、上記後行の編成コースによる編成部分における上記ミスによる浮き糸部分が、上記先行の編成コースによる編成部分における上記ニットにより形成されたループ上に重なっている。このように、擬似パイル部２１は、ニットされたループとその上方に位置するミスによる浮き糸との組み合わせにより嵩高の編組織とされ、この結果、擬似パイル部２１にパイルと同様の膨らみが生じて、擬似パイル部２１のクッション性がパイルと同様に良好となる。
【００２５】
上記指付き靴下１における上記擬似パイル部２１以外の部分は、一般的な天竺編み（平編み）により編成された天竺組織となっている。本実施形態では、擬似パイル部２１とそれ以外の部分とを編成する編糸の種類が異なっているが、同じ種類の編糸を用いてもよい。以下、擬似パイル部２１以外の部分の編成用の糸を第１の編糸といい、擬似パイル部２１の編成用の糸を第２の編糸という。
【００２６】
上記擬似パイル部２１が設けられた土踏まず部１１には、弾性糸の挿入による収縮部２２が設けられている。本実施形態では、土踏まず部２１の全体が収縮部２２とされているが、土踏まず部１１の一部（特に土踏まず部１１の前後方向中央部）を収縮部２２としてもよい。上記弾性糸としては、ＦＴＹやゴム糸等が用いられる。尚、このような収縮部２２は、必ずしも必要ではない。
【００２７】
次に、上記横編機による指付き靴下１の編成方法を説明する。この説明では、爪先側から足挿入側に編成するものとする。
【００２８】
最初に、親指袋２、人指し指袋３及び中指袋４の各袋を爪先から編成し、これら袋２〜４が合一された３本胴７を編成した後、薬指袋５を爪先から編成する。続いて、上記編成した３本胴７と薬指袋５とが合一された４本胴８を編成した後、小指袋６を爪先から編成する。次いで、上記編成した４本胴８と小指袋６とが合一された５本胴９を編成する。そして、足首部１３を経て足挿入口１５まで編成される。
【００２９】
親指袋２の爪先部、人指し指袋３、中指袋４、薬指袋５及び小指袋６の編成においては、第１の編み糸を両ニードルベッドの編針に周回状に給糸して筒状に編成する。すなわち、両ニードルベッドのうちの一方のニードルベッドの編針が、キャリッジの往動作により、そのキャリッジの摺動に連れて第１の編糸を順次ニットする編成コースと、他方のニードルベッドの編針が、キャリッジの復動作により、そのキャリッジの摺動に連れて第１の編糸を順次ニットする編成コースとにより、親指袋２の爪先部及びその他の各袋３〜６を筒状に編成する。
【００３０】
次に、親指袋２の爪先近傍部分から４本胴８の後端部に至る部分の編成方法を、図２に基づいて説明する。
【００３１】
ここで、図２において、各編成コースの英文字Ｆは、前側のニードルベッドを示し、英文字Ｂは、後側のニードルベッドを示す。また、「ループ図」の欄の各ドットは、各ニードルベッドの各編針に対応しており、ドットの周囲にループが描かれている場合には、当該編針によるニットを意味し、ドットを頂点に山形又はその逆に描かれている場合には、当該編針によるタックを意味し、その他は、ミスを意味する。さらに、各編成コースの「方向」の欄の矢印は、キャリッジ及びこれに連行されるキャリアの摺動方向、つまり各編針の作動順序を示す。図２の左側及び右側はニードルベッドの左側及び右側であるが、それぞれ単に左側及び右側という（図３及び図４も同様）。また、「編糸」の欄の丸数字は、編針に給糸される編糸の種類を示し、丸数字の１は、上記第１の編糸を、丸数字の２は、上記第２の編糸をそれぞれ示す。尚、後に説明する図３及び図４も同様であり、また、図４では、丸数字の３が記載されており、これは上記弾性糸を示す。
【００３２】
図２において、編成コース１乃至９が順に実行され、これら編成コース１乃至９を１組として、該１組の編成コースによる編成を、爪先側から足挿入側に所定組数繰り返すことで、足底部において親指袋２の爪先近傍部分から４本胴８の後端部に至る部分と、この部分とは反対側に位置する甲側の部分との編成がなされる。
【００３３】
編成コース１では、キャリッジが右側に摺動し、その際、後側のニードルベッドにおいて編成する部分の左端（以下、単に左端という）に位置する編針が第１の編糸をタックする。
【００３４】
編成コース２は、次の編成コース３でキャリッジが右側へ摺動して編成を行うための空コースである。
【００３５】
編成コース３では、前側のニードルベッドの編針に、キャリッジの右側への摺動に連行されるキャリアから第１の編糸が給糸されてニットされ、前側のニードルベッドにおいて編成する部分の右端（以下、単に右端という）に位置する編針に第１の編糸がタックされる。
【００３６】
編成コース４では、前側のニードルベッドにおいて右端に位置する編針がミスされ、その他の編針に、キャリッジの左側への摺動時に選択されて連行されるキャリアからの第１の編糸が給糸されてニットされる。
【００３７】
編成コース３及び４では、第１の編糸を用いて、前側のニードルベッドの編針により、甲側の部分を編成することになる。この甲側の部分は天竺組織となる。
【００３８】
編成コース５では、第１の編糸から第２の編糸に切り換えるためにキャリッジが右側に摺動し、その際、前側のニードルベッドにおいて左端に位置する編針が第２の編糸をタックし、その他の編針はミスする。
【００３９】
編成コース６は、編成コース７以降で第２の編糸により擬似パイル部２１を形成するのに備えてキャリッジの摺動方向を調整するための空コースである。
【００４０】
編成コース７では、キャリッジの右側への摺動に連れて、後側のニードルベッドの編針により、該編針の並設方向において２つの編針毎に第２の編糸に対してニットとミスとが交互に繰り返される。
【００４１】
編成コース８では、キャリッジが左側に摺動し、その際、前側のニードルベッドにおいて右端に位置する編針が第２の編糸をニットし、右端から２番目の編針が第２の編糸をタックし、その他の編針には給糸されずに、ミスされる。
【００４２】
編成コース９では、キャリッジの右側への摺動に連れて、後側のニードルベッドの編針の並設方向において２つの編針毎に第２の編糸に対してニットとミスとが交互に繰り返され、最後に、前側のニードルベッドにおいて右端に位置する編針が第２の編糸をニットする。
【００４３】
編成コース７及び９では、第２の編糸を用いて、後側のニードルベッドの編針により、足底部を編成することになる。そして、編成コース９（後行の編成コースに相当）では、編成コース９による編成部分（後行の編成部分）が編成コース７（先行の編成コースに相当）による編成部分（先行の編成部分）に対して足底部の厚み方向に重なるように編成されるとともに、上記ニットする編針と上記ミスする編針とを、編成コース７とは逆にする。これにより、編成コース９による編成部分における上記ニットにより形成されたループが、編成コース７による編成部分における上記ミスによる浮き糸部分上に重なり、かつ、編成コース９による編成部分における上記ミスによる浮き糸部分が、編成コース７による編成部分における上記ニットにより形成されたループ上に重なることになる。こうして、足底部おいて親指袋２の爪先近傍部分から４本胴８の後端部に至る部分に、擬似パイル部２１が形成される。
【００４４】
尚、左端及び右端（編成コースによっては端から２番目も含む）に位置する編針によるタックやニットは、甲側の天竺組織と擬似パイル部２１とを繋ぎかつ該繋ぎ目を補強するためのものであり、その繋ぎ目が開かないようにしている。
【００４５】
続いて、５本胴９における足底前側部１０及びその甲側の部分の編成方法を、図３に基づいて説明する。
【００４６】
編成コース１１乃至１９が順に実行され、これら編成コース１１乃至１９を１組として、該１組の編成コースによる編成を、爪先側から足挿入側に所定組数繰り返すことで、足底部において５本胴９における足底前側部１０及びその甲側の部分の編成がなされる。
【００４７】
編成コース１１では、キャリッジが右側に摺動し、その際、前側のニードルベッドにおいて左端に位置する編針に第２の編糸が給糸されてニットされ、左端から２番目の編針には第２の編糸がタックされ、その他の編針はミスする。
【００４８】
編成コース１２では、キャリッジが左側に摺動し、その際、前側のニードルベッドにおいて左端以外の編針は給糸されずミスし、最後に、左端に位置する編針が第２の編糸をニットする。
【００４９】
編成コース１３では、上記編成コース７と同様に、キャリッジの右側への摺動に連れて、後側のニードルベッドの編針の並設方向において２つの編針毎に、第２の編糸に対してニットとミスとが交互に繰り返される。
【００５０】
編成コース１４では、前側のニードルベッドの編針が、キャリッジの左側への摺動に連れて第１の編糸の給糸により順次ニットし、前側のニードルベッドにおいて左端に位置する編針に第１の編糸がタックされる。
【００５１】
編成コース１５は、第１の編糸から第２の編糸に切り換えるための準備コースであって、キャリッジが右側へ摺動する空コースである。
【００５２】
編成コース１６では、キャリッジが左側に摺動し、その際、前側のニードルベッドにおいて右端に位置する編針が第２の編糸をニットし、右端から２番目の編針に第２の編糸がタックされ、その他の編針はミスされる。
【００５３】
編成コース１７では、キャリッジが右側へ摺動し、その際、前側のニードルベッドにおいて右端以外の編針はミスされ、最後に、右端に位置する編針が第２の編糸をニットする。
【００５４】
編成コース１８では、キャリッジの右側への摺動に連れて、後側のニードルベッドの編針の並設方向において２つの編針毎に、キャリアからの第２の編糸の給糸によるニットと給糸されないミスとが繰り返される。
【００５５】
編成コース１９では、第２の編糸から切り換えられた第１の編糸が給糸され、前側のニードルベッドにおいて左端に位置する編針がミスされ、左端及び右端以外の編針が、キャリッジの右側への摺動時に、第１の編糸を順次ニットし、最後に、右端に位置する編針にタックされる。
【００５６】
編成コース１４及び１９では、上記編成コース３及び４と同様に、第１の編糸を用いて、前側のニードルベッドの編針により、甲側の部分を編成することになる。この甲側の部分は天竺組織となる。
【００５７】
また、編成コース１３及び１８では、上記編成コース７及び９と同様に、第２の編糸を用いて、後側のニードルベッドの編針により、足底部を編成することになる。そして、編成コース１８（後行の編成コースに相当）では、編成コース１８による編成部分（後行の編成部分）が編成コース１３（先行の編成コースに相当）による編成部分（先行の編成部分）に対して足底部の厚み方向に重なるように編成するとともに、上記ニットする編針と上記ミスする編針とを、編成コース１３とは逆にする。こうして、足底前側部１０にも、擬似パイル部２１が形成される。
【００５８】
図２の編成方法と同様に、左端及び右端（編成コースによっては端から２番目も含む）に位置する編針によるタックやニットは、甲側の天竺組織と擬似パイル部２１とを繋ぎかつ該繋ぎ目を補強するためのものであるが、図３の編成方法では、その繋ぎ目をより一層補強することができる。但し、５本胴９における足底前側部１０及びその甲側の部分の編成を、図２の編成方法で行ってもよく、親指袋２の爪先近傍部分から４本胴８の後端部に至る部分の編成を、図３の編成方法で行ってもよい。
【００５９】
また、図２の編成方法（図３の編成方法でもよい）は、踵部１２及び擬似パイル部２１の延設部分が設けられた足首部１３にも適用される。但し、踵部１２は、膨らみを持たせる必要があり、その膨らみ部の形成時には、編成コース５乃至９が繰り返される。
【００６０】
次に、５本胴９における土踏まず部１１及びその甲側の部分の編成方法を、図４に基づいて説明する。
【００６１】
編成コース２１乃至３４が順に実行され、これら編成コース２１乃至３４を１組として、該１組の編成コースによる編成を、爪先側から足挿入側に所定組数繰り返すことで、５本胴９における土踏まず部１１及びその甲側の部分の編成がなされる。
【００６２】
編成コース２１では、５本胴９における足底前側部１０及びその甲側の部分の編成の最後に用いた第１の編糸から弾性糸に切り換えられ、キャリッジの左側への摺動に連れて、後側のニードルベッドの編針の並設方向において１つの編針毎に、張力を付与した状態の弾性糸に対してニットとミスとを交互に繰り返し、最後に、前側のニードルベッドにおいて左端に位置する編針が弾性糸をニットする。
【００６３】
編成コース２２では、キャリッジが右側に摺動し、その際、後側のニードルベッドにおいて左端に位置する編針が第２の編糸をタックし、その他の編針はミスされる。
【００６４】
編成コース２３では、キャリッジが左側に摺動し、その際、後側のニードルベッドにおいて左端及び左端から２番目以外の編針がミスされ、左端から２番目の編針に第２の編糸がタックされ、左端に位置する編針により第２の編糸がニットされる。
【００６５】
編成コース２４では、キャリッジの右側への摺動により、後側のニードルベッドの編針が、当該編針の並設方向において２つの編針毎に第２の編糸に対してニットとミスとを交互に繰り返す。
【００６６】
編成コース２５は、弾性糸を挿入するに際し、キャリッジの摺動方向を調整するためにキャリッジが左側へ摺動する空コースである。
【００６７】
編成コース２６では、キャリッジの右側への摺動に連れて、後側のニードルベッドの編針の並設方向において１つの編針毎に、張力を付与した状態の弾性糸の給糸によるニットと給糸されないミスとが繰り返され、最後に、前側のニードルベッドにおいて右端に位置する編針により弾性糸がニットされる。
【００６８】
編成コース２７では、キャリッジが左側に摺動し、その際、前側のニードルベッドにおいて右端に位置する編針が第２の編糸をニットし、その他の編針がミスする。
【００６９】
編成コース２８は、キャリッジの摺動方向を調整するためにキャリッジが右側へ摺動する空コースである。
【００７０】
編成コース２９では、前側のニードルベッドにおいて右端に位置する編針に第１の編糸がタックされ、その他の編針には第１の編糸がニットされる。
【００７１】
編成コース３０は、上記編成コース２６で、弾性糸を給糸するキャリアが右側に置かれていることから、これを連行するべくキャリッジを右側へ摺動するための空コースである。
【００７２】
編成コース３１では、キャリッジの左側への摺動に連れて、後側のニードルベッドの編針が、当該編針の並設方向において１つの編針毎に、張力を付与した状態の弾性糸の給糸によるニットと給糸されないミスとが繰り返され、最後に、前側のニードルベッドにおいて左端に位置する編針に弾性糸がニットされる。
【００７３】
編成コース３２では、キャリッジの右側への摺動時に連行されるキャリアから弾性糸が張力を付与した状態で給糸され、後側のニードルベッドの編針の並設方向において１つの編針毎に、その弾性糸に対してニットとミスとが交互に繰り返され、最後に、前側のニードルベッドにおいて右端に位置する編針に弾性糸がニットされる。
【００７４】
編成コース３３では、キャリッジの左側への摺動に連れて、後側のニードルベッドの編針の並設方向において２つの編針毎に第２の編糸に対してニットとミスとが交互に繰り返される。
【００７５】
編成コース３４では、前側のニードルベッドにおいて左端に位置する編針に第１の編糸がタックされ、その他の編針に、キャリッジの右側への摺動により第１の編糸がニットされる。
【００７６】
編成コース２９及び３４では、第１の編糸を用いて、前側のニードルベッドの編針により、甲側の部分を編成することになる。この甲側の部分は天竺組織となる。
【００７７】
また、編成コース２４及び３３では、第２の編糸を用いて、後側のニードルベッドの編針により、足底部を編成することになる。そして、編成コース３３（後行の編成コースに相当）では、編成コース３３による編成部分（後行の編成部分）が編成コース２４（先行の編成コースに相当）による編成部分（先行の編成部分）に対して足底部の厚み方向に重なるように編成するとともに、上記ニットする編針と上記ミスする編針とを、編成コース２４とは逆にする。こうして、足底部おいて５本胴９における土踏まず部１１にも、擬似パイル部２１が形成される。
【００７８】
編成コース２１、２６、３１及び３２では、後側のニードルベッドの編針により、擬似パイル部２１が設けられる土踏まず部１１に弾性糸を挿入する。編成コース２１、２６、３１及び３２による編成部分は足底部の厚み方向に互いに重っている。そして、これら各編成コースで弾性糸をニットする編針は同じであり、ミスする編針も同じである。これにより、これら各編成コースによる編成部分における上記ミスによる浮き糸部分が互いに重なることになり、この浮き糸部分が収縮して、土踏まず部１１を左右方向に収縮させることになる。
【００７９】
尚、左端及び右端（編成コースによっては端から２番目も含む）に位置する編針によるタックやニットは、甲側の天竺組織と擬似パイル部２１とを繋ぎかつ該繋ぎ目を補強するためのものである。
【００８０】
したがって、本実施形態では、指付き靴下１の足底部において親指袋２の爪先近傍部分から踵部１２の後端部に至る部分（つまり足底部の略全体）に、パイルと同等の機能（特にクッション性）を有する擬似パイル部２１が設けられているので、足底部のクッション性が良好になるとともに、着用感が良好になる。また、指付き靴下の足底部における踏力のかかる部分（親指袋から５本胴における土踏まず部１１手前に至る部分や踵部１２）に擬似パイル部２１を設けることにより、そのクッション性により足の疲労が生じ難くなる。
【００８１】
また、横編機における後側のニードルベッドに並設された複数の編針の並設方向において２つの編針毎にニットとミスとを交互に繰り返す先行及び後行の編成コース（図２では、編成コース７及び９、図３では、編成コース１３及び１８、図４では、編成コース２４及び３３）を含む複数の編成コースを１組として、該１組の編成コースによる編成を、爪先側から足挿入側に、又は足挿入側から爪先側に繰り返すことによって、擬似パイル部２１を形成するようにしたので、横編機により、指付き靴下１の足底部に擬似パイル部２１を容易に形成することができる。
【００８２】
本発明は、上記実施形態に限られるものではなく、請求の範囲の主旨を逸脱しない範囲で代用が可能である。
【００８３】
例えば、上記実施形態では、指付き靴下１が５本指付き靴下であるとして説明したが、これに限らず、親指袋と人指し指から小指までの４本の指を同時に入れる指袋とを有する足袋形の指付き靴下であってもよく、少なくとも親指袋を有するものであればよい。
【００８４】
また、上記実施形態では、擬似パイル部２１を、踵部１２の後端部から足首部１３の後側部分における踝に対応する位置まで延設したが、このような延設部分は必ずしも必要ではない。
【００８５】
さらに、足の疲労が生じ難くする観点から、擬似パイル部２１を、指付き靴下１の足底部において親指袋２の爪先近傍部分から土踏まず部１１近傍に至る部分（親指袋２における爪先部を除く部分、３本胴７、４本胴８、及び、５本胴９における足底前側部１０）と踵部１２とに設けてもよく、擬似パイル部２１を、指付き靴下１の足底部において親指袋２の爪先近傍部分から土踏まず部１１近傍に至る部分に設けてもよい。或いは、擬似パイル部２１を、指付き靴下１の足底部において親指袋２の足底側部分から土踏まず部１１近傍に至る部分の少なくとも一部に設けてもよい。
【００８６】
上述の実施形態は単なる例示に過ぎず、本発明の範囲を限定的に解釈してはならない。本発明の範囲は請求の範囲によって定義され、請求の範囲の均等範囲に属する変形や変更は、全て本発明の範囲内のものである。
【産業上の利用可能性】
【００８７】
本発明は、編針を進退摺動可能に装着したニードルベッドを少なくとも前後一対備えてなる横編機により、爪先側から足挿入側に、又は足挿入側から爪先側に向けて編糸が周回状に給糸されて筒状に編成されてなる指付き靴下及びその編成方法に有用である。
【符号の説明】
【００８８】
１      指付き靴下
２      親指袋
９      ５本胴
１１    土踏まず部
１２    踵部
２１    擬似パイル部
２２    収縮部
【図１】
2013057147.tif 000003
【図２】
2013057147.tif 000004
【図３】
2013057147.tif 000005
【図４】
2013057147.tif 000006